(57)【要約】【課題】円滑で効率的に情報連絡を行なうとともに、個人データの漏洩などを防止する情報連絡網システムおよび携帯端末機を提供することを目的とする。【解決手段】情報連絡網システムは、管理者Ｐの携帯電話１０から複数のメンバーＡ１〜Ａ３の携帯電話１０に情報連絡を行なう場合に、管理者Ｐの携帯電話１０の記憶部６１に記憶された複数のメンバーＡ１〜Ａ３の氏名、電話番号が記憶されたメンバーリストを発呼に含めて送信し、管理者Ｐの携帯電話１０からの発呼を着信したメンバーは、管理者Ｐから送信されたメンバーリストに基づいて、次のメンバーに情報連絡を行なうとともに、この時に自分の電話番号を削除した応答済みのメンバーリストを送信する。【選択図】        図１
2008288907.tif 000002
【特許請求の範囲】
【請求項１】
管理者が所持する携帯端末機と複数のメンバーが所持する携帯端末機との間で情報伝達を行なう情報連絡網システムであって、
前記管理者の携帯端末機は、
前記複数のメンバーの名前と電話番号とを対応付けてメンバーリストとして連絡する順に記憶する記憶手段と、
前記複数のメンバーの内の所定のメンバーの携帯端末機に対して発呼を行なうと、前記記憶手段に記憶された前記メンバーリストを前記所定のメンバーの携帯端末機に送信する第１の送信制御手段とを備え、
前記メンバーの携帯端末機は、
前記管理者の携帯端末機からの発呼に対する着信時に、前記第１の送信制御手段により送信された前記メンバーリストを受信すると、当該メンバーリストの中から着信したメンバーが応答済みである事を示す更新を行なうメンバー情報更新手段と、
前記メンバーリストの中から次のメンバーに対して、前記メンバー情報更新手段により更新された前記メンバーリストを送信する第２の送信制御手段とを備えることを特徴とする情報連絡網システム。
【請求項２】
前記メンバーの携帯端末機は、
前記メンバーの携帯端末機から次のメンバーの携帯端末機を対象とする発呼時に、当該次のメンバーの携帯端末機による着信操作があるか否かを判定する着信操作判定手段をさらに備え、
前記着信操作判定手段により、
前記次のメンバーの携帯端末機による着信操作がないと判定された場合に、前記メンバーリストの中から次のメンバーよりも後のメンバーの携帯端末機を設定するメンバー設定手段を備え、
前記第２の送信制御手段は、
前記メンバー設定手段により設定された前記メンバーの携帯端末機に対して、前記メンバー情報更新手段により更新されたメンバーリストの送信を行なうことを特徴とする請求項１に記載の情報連絡網システム。
【請求項３】
前記管理者の携帯端末機は、
前記複数のメンバーが所持する携帯端末機から送信されるメンバーリストを受信する受信手段と、当該受信手段により受信されたメンバーリストの更新情報に基づいて、未着信メンバーの有無を判定する未着信判定手段とをさらに備えることを特徴とする請求項１または２に記載の情報連絡網システム。
【請求項４】
前記受信手段により受信されたメンバーリストの更新情報に基づいて、前記未着信メンバーを再度の発呼対象者として設定する再発呼設定手段をさらに備え、前記第１の送信制御手段は、前記再発呼設定手段により設定された発呼対象者に対して前記メンバーリストの送信を含めた再度の発呼を行なうことを特徴とする請求項３に記載の情報連絡網システム。
【請求項５】
管理者と複数のメンバーが所持するとともに、当該管理者と複数のメンバーとの間で情報伝達を行なう情報連絡網モードを備えた携帯端末機であって、
前記携帯端末機は、
情報連絡網モード時に、前記管理者および複数のメンバーの名前と電話番号とを対応付けてメンバーリストとして連絡する順に記憶する記憶手段と、
前記複数のメンバーの内の所定のメンバーの携帯端末機に対して発呼を行なうと、前記記憶手段に記憶された前記メンバーリストを前記所定のメンバーの携帯端末機に送信する第１の送信制御手段と、
前記管理者または、所定のメンバーからの発呼に対する着信時に、前記メンバーリストの中から着信したメンバーが応答済みである事を示す更新処理を行なうメンバー情報更新手段と、
前記メンバーリストの中から前記管理者または、次のメンバーに対して、前記メンバー情報更新手段により更新された前記メンバーリストを送信する第２の送信制御手段とを備えることを特徴とする携帯端末機。
【発明の詳細な説明】
【技術分野】
【０００１】
本発明は、通信端末機間を通信可能に接続する情報連絡網システムおよび携帯端末機に関し、特に、管理者が所持する携帯端末機と複数のメンバーが所持する携帯端末機との間で情報伝達を行なう情報連絡網システムおよび携帯端末機に関する。
【背景技術】
【０００２】
従来から、例えば、管理者と複数のメンバーとの間で情報の伝達などを行なう場合には、管理者の携帯電話からメンバーの１人に対して電話連絡（情報連絡）を行ない、この電話連絡を受けたメンバーから順次、次のメンバーに対して携帯電話により連絡内容を伝達する情報連絡網システムが知られている。
【０００３】
また、この種の従来公報の技術としては、センタに登録された特定多数の端末が保持するデータを公衆回線を介して、効率的にセンタに集約するデータ集約システムについて開示されている（例えば、特許文献１）。このデータ集約システムによればノードとなる端末アドレスのリストを親ノードのアドレスリストに集約的に集約することができ、また、全ての子ノードのデータはセンタに直結する親ノードから同時にセンタに送信することができる。
【０００４】
【特許文献１】特開平８−８４１５７号公報
【発明の開示】
【発明が解決しようとする課題】
【０００５】
ところが、上述した従来から行なわれている情報連絡網システムの場合、以下のような問題が生じる。すなわち、従来では、メンバー同士が管理者からの連絡内容を伝達する場合、各メンバーは、管理者から配布されるメンバーの氏名および電話番号のリスト（メンバーリスト）が記載された用紙や電子文書を、予め取得し所持しておく必要があり、さらに、このメンバーリストを見ながら、次に連絡するメンバーの電話番号を入力する作業が必要となるため、発呼先の電話番号をその都度入力する手間や入力ミスが生じることもあることから、連絡が遅延したり、メンバー相互間での連絡操作が円滑に行なわれないという問題がある。また、メンバー個々が所持するメンバーリストを紛失する恐れがあるため個人データの漏洩などが生じる恐れがあり、秘密保持やセキュリティなどの点で問題がある。
【０００６】
また、上述した従来技術として、開示された公知例（特許文献１）の場合にも、データを集約的に収集することができるが、やはり、データ自体は、各子ノードにも存在することとなるため、データの漏洩などが生じる恐れがある。
【０００７】
そこで、この発明は、上述した従来技術の課題を解決するためになされたものであり、管理者とメンバー相互間での情報連絡を円滑に行なうとともに、個人データの漏洩などを防止することができる情報連絡網システムおよび携帯端末機を提供することを目的とする。
【課題を解決するための手段】
【０００８】
上述した課題を解決し、目的を達成するため、請求項１に記載の発明は、管理者が所持する携帯端末機と複数のメンバーが所持する携帯端末機との間で情報伝達を行なう情報連絡網システムであって、前記管理者の携帯端末機は、前記複数のメンバーの名前と電話番号とを対応付けてメンバーリストとして連絡する順に記憶する記憶手段と、前記複数のメンバーの内の所定のメンバーの携帯端末機に対して発呼を行なうと、前記記憶手段に記憶された前記メンバーリストを前記所定のメンバーの携帯端末機に送信する第１の送信制御手段とを備え、前記メンバーの携帯端末機は、前記管理者の携帯端末機からの発呼に対する着信時に、前記第１の送信制御手段により送信された前記メンバーリストを受信すると、当該メンバーリストの中から着信したメンバーが応答済みである事を示す更新を行なうメンバー情報更新手段と、前記メンバーリストの中から次のメンバーに対して、前記メンバー情報更新手段により更新された前記メンバーリストを送信する第２の送信制御手段とを備えることを特徴とする。
【０００９】
また、請求項２に記載の発明は、上記発明において、前記メンバーの携帯端末機は、前記メンバーの携帯端末機から次のメンバーの携帯端末機を対象とする発呼時に、当該次のメンバーの携帯端末機による着信操作があるか否かを判定する着信操作判定手段をさらに備え、前記着信操作判定手段により、前記次のメンバーの携帯端末機による着信操作がないと判定された場合に、前記メンバーリストの中から次のメンバーよりも後のメンバーの携帯端末機を設定するメンバー設定手段を備え、前記第２の送信制御手段は、前記メンバー設定手段により設定された前記メンバーの携帯端末機に対して、前記メンバー情報更新手段により更新されたメンバーリストの送信を行なうことを特徴とする。
【００１０】
また、請求項３に記載の発明は、上記発明において、前記管理者の携帯端末機は、前記複数のメンバーが所持する携帯端末機から送信されるメンバーリストを受信する受信手段をさらに備え、当該受信手段により受信されたメンバーリストの更新情報に基づいて、未着信メンバーの有無を示す表示を表示部に行なうことを特徴とする。
【００１１】
また、請求項４に記載の発明は、上記発明において、前記受信手段により受信されたメンバーリストの更新情報に基づいて、前記未着信メンバーを再度の発呼対象者として設定する再発呼設定手段をさらに備え、前記第１の送信制御手段は、前記再発呼設定手段により設定された発呼対象者に対して前記メンバーリストの送信を含めた再度の発呼を行なうことを特徴とする。
【００１２】
また、請求項５に記載の発明は、管理者と複数のメンバーが所持するとともに、当該管理者と複数のメンバーとの間で情報伝達を行なう情報連絡網モードを備えた携帯端末機であって、前記携帯端末機は、前記情報連絡網モード時に、前記管理者および複数のメンバーの名前と電話番号とを対応付けてメンバーリストとして連絡する順に記憶する記憶手段と、前記複数のメンバーの内の所定のメンバーの携帯端末機に対して発呼を行なうと、前記記憶手段に記憶された前記メンバーリストを前記所定のメンバーの携帯端末機に送信する第１の送信制御手段と、前記管理者または、所定のメンバーからの発呼に対する着信時に、当該メンバーリストの中から着信したメンバーが応答済みである事を示す更新処理を行なうメンバー情報更新手段と、前記メンバーリストの中から次のメンバーに対して、前記メンバー情報更新手段により更新された前記メンバーリストを送信する第２の送信制御手段とを備えることを特徴とする。
【発明の効果】
【００１３】
請求項１の発明によれば、管理者は、管理者の携帯端末機から複数のメンバーに情報連絡を行なう場合に、管理者の携帯端末機の記憶手段に記憶された複数のメンバーの氏名、電話番号が記憶されたメンバーリストを発呼に含めて送信し、管理者の携帯端末機からの発呼を着信したメンバーは、管理者から送信されたメンバーリストに基づいて、次のメンバーに情報連絡を行なうとともに、更新処理により応答済みとしたメンバーリストを送信するので、メンバーは、事前にメンバーの連絡先（電話番号）の文書（メンバーリスト）を取得する手間や連絡時に次のメンバー同士の連絡先（電話番号）を入力する操作が不要となるため、メンバー相互間での情報連絡を円滑で効率的に行なうことができる。また、複数のメンバーの氏名、電話番号が記憶されたメンバーリストは、管理者だけが所持するので、個々のメンバーがメンバーリストを紛失したり、個人データ（メンバーリスト）が漏洩する事を防止することができる。
【００１４】
また、請求項２の発明によれば、メンバーの携帯端末機から次のメンバーの携帯端末機を対象とする発呼を行なう場合に、次のメンバーの携帯端末機による着信操作があるか否かを着信操作判定手段により判定し、次のメンバーの携帯端末機による着信操作がないと判定された場合に、メンバー設定手段によりメンバーリストの中から次のメンバーよりも後のメンバーの携帯端末機を設定し、第２の送信制御手段により、設定手段により設定されたメンバーの携帯端末機に対して、メンバー情報更新手段により応答済みであることが更新されたメンバーリストの送信を行なうので、複数のメンバーのいずれかが不在であっても、不在のメンバーの次のメンバーに対して、情報連絡を行なうことができ、これによって、円滑な情報連絡網システムを構築することができる。
【００１５】
また、請求項３の発明によれば、管理者の携帯端末機は、受信手段により複数のメンバーが所持する携帯端末機から送信されるメンバーリストを受信し、受信手段により受信されたメンバーリストの更新情報に基づいて、表示部に未着信メンバーの有無を示す表示を行なうので、管理者は、未着信メンバーの有無を容易且つ正確に確認することができる。
【００１６】
また、請求項４の発明によれば、管理者の携帯端末機は、再発呼設定手段により受信したメンバーリストの更新情報に基づいて、未着信メンバーを再度の発呼対象者として設定し、未着信メンバーとして設定された発呼対象者に対してメンバーリストの送信を含めた再度の発呼を行なうので、仮に未着信メンバーがいた場合であっても、再発呼設定手段による再発呼モードにより情報連絡を確実に行なうことができる。
【００１７】
また、請求項５の発明によれば、携帯端末機は、管理者と複数のメンバーとの間で情報伝達を行なう情報連絡網モード時に、管理者の携帯端末機から複数のメンバーに情報連絡を行なう場合に、管理者の携帯端末機の記憶手段に記憶された複数のメンバーの氏名、電話番号が記憶されたメンバーリストを発呼に含めて送信し、管理者の携帯端末機からの発呼を着信したメンバーは、管理者から送信されたメンバーリストに基づいて、次のメンバーに情報連絡を行なうとともに、更新処理により応答済みとしたメンバーリストを送信するので、メンバーは、事前にメンバーの連絡先（電話番号）の文書（メンバーリスト）を取得する手間や連絡時に次のメンバー同士の連絡先（電話番号）を入力する操作が不要となるため、メンバー相互間での連絡操作を円滑で効率的に行なうことができるうえ、メンバーリストの紛失や個人データ（メンバーリスト）の漏洩などを防止することができる。
【発明を実施するための最良の形態】
【００１８】
以下に添付図面を参照して、この発明に係る情報連絡網システムおよび携帯端末機の好適な実施例を詳細に説明する。なお、以下に示す実施例１によりこの発明が限定されるものではない。
【実施例１】
【００１９】
［情報連絡網システムの概要および特徴］
まず、最初に図１を用いて、本実施例１に係る情報連絡網システムの概要および特徴を説明する。図１は、本実施例１に係る情報連絡網システムの概要および特徴を説明するための図である。
【００２０】
ここで、図１に示す情報連絡網システムでは、１名の管理者Ｐ（例えば、氏名が「山本○△」）が所持する携帯電話１０と、合計３名から構成されるＡグループのメンバー（メンバーＡ１〜Ａ３）がそれぞれ所持する携帯電話１０との間で電話通信網（電話回線）を介して行なわれる情報を伝達する情報連絡網システムの構成例を示している。
【００２１】
すなわち、図１に示すように、この情報連絡網システムで使用される携帯電話１０では、管理者ＰからメンバーＡ１〜Ａ３に対して連絡を行なうための情報連絡網モードが構築されており、この情報連絡網モードでは、管理者ＰだけがメンバーＡ１〜Ａ３の連絡先である電話番号のリスト（メンバーリスト）を所持（図２のＲＡＭ６０の記憶部６１に格納）しており、管理者Ｐからの連絡を受けた所定のメンバーＡ１〜Ａ３は、携帯電話１０による操作に基づいて、自分の次に位置するメンバーに対しての発呼操作を行なうだけで、管理者Ｐからの情報連絡を通達できる構成としていることに主たる特徴がある。
【００２２】
また、この情報連絡網システムでは、管理者Ｐ（或いは、メンバーＡ１〜Ａ３）からの連絡を受けたメンバー（メンバーＡ１〜Ａ３）の携帯電話１０は、次のメンバーＡ１〜Ａ３に対してメンバーリストを送信する時に、発呼者からの発呼内容（通話連絡）に対して応答済みである旨を示す更新処理（メンバーリストから自分の電話番号を削除）を行なうため、メンバーリストの紛失や漏洩などを防止するとともに、最後のメンバーＡ３から送信されるメンバーリストを受け取った管理者Ｐは、このメンバーリストを確認するだけで、メンバーＡ１〜Ａ３による着信状況（応答の可否）を容易に確認できる構成としている。
【００２３】
ここで、メンバーリスト（図５参照）とは、複数のメンバーＡ１〜Ａ３の名前と電話番号とを対応付けて管理者Ｐが予め作成したリストであり、このメンバーリストは、携帯電話１０の表示パネル７１の登録画面で登録することができる。
【００２４】
この主たる特徴について具体的に説明すると、図１に示すように、管理者Ｐは携帯電話１０により緊急な連絡などの情報連絡をメンバーＡ１〜Ａ３に伝達する場合、管理者Ｐは、情報連絡網モードを携帯電話１０メニュー画面（図３）から選択し、この情報連絡網モードにより、先ず最初のメンバーＡ１に発呼操作を行なう。この時、携帯電話１０は、メンバーＡ１に対する発呼とともに、管理者Ｐが作成したメンバーリストをメンバーＡ１に送信する（図１の（１）参照）。この時のメンバーリストには、管理者ＰおよびメンバーＡ１〜Ａ３の氏名、電話番号が全て示されている。
【００２５】
そして、管理者Ｐから発呼されたメンバーＡ１の携帯電話１０は、管理者Ｐとの通話による連絡（例えば、「○月△日の１４時に、△○会場で集会があります。」）を通知するとともに、管理者Ｐから送信されたメンバーリストを受信する（図１の（２）参照）。また、この時、受信したメンバーリストに対する応答済みであることを示す更新処理を行ない、次のメンバーであるメンバーＡ２に対する発呼およびメンバーリストの送信を行なう（図１の（３）参照）。ここで、この場合の更新処理とは、管理者Ｐからの発呼を受信した旨（応答済み）を示す更新処理（メンバーリストから自身の電話番号の削除）となる。すなわち、図１のメンバーリストに示すように、この時のメンバーリストには、メンバーＡ１が応答済みであることを示すための電話番号が削除されているため、メンバーリストに記載されている個人データ（メンバー情報）の漏洩などを防止することができる。
【００２６】
そして、メンバーＡ１からの発呼を着信したメンバーＡ２の携帯電話１０は、メンバーＡ１との通話により連絡を受信するとともに（図１の（４）参照）、メンバーＡ１が行った更新処理と同様に、このメンバーＡ１から送信されたメンバーリストから自分の電話番号の削除を行ない、次のメンバーであるメンバーＡ３に対する発呼および更新したメンバーリストを送信する（図１の（５）参照）。すなわち、この時のメンバーリストには、メンバーＡ２が応答済みであることを示すために、このメンバーＡ２の電話番号が削除されている。
【００２７】
同様に、メンバーＡ２からの発呼を着信したメンバーＡ３は、メンバーＡ２との通話により連絡を受けるとともに（図１の（６）参照）、メンバーＡ２から送信されたメンバーリストから自身の電話番号の削除を行ない、管理者Ｐに対する発呼およびメンバーリストの送信を行なう（図１の（７）参照）。すなわち、この時のメンバーリストは、更新処理によりメンバーＡ１〜Ａ３の全員の電話番号が削除されている。
【００２８】
そして、最後のメンバーＡ３からの発呼を着信した管理者Ｐは、最終的に更新処理されたメンバーリストをＲAＭ６０の記憶部６１（図２）に格納することとなる。また、この格納されたメンバーリストを携帯電話１０の表示パネル７１に情報連絡網結果（図１０）として表示することができ、管理者Ｐは、この情報連絡網結果によりメンバーＡ１〜Ａ３の着信状況（応答結果）を確認することができる。
【００２９】
以上説明したように、本実施例１の情報連絡網システムでは、管理者Ｐは、予め登録（作成）したメンバーリスト（氏名、電話番号）を基に、所定のメンバーにメンバーリストを含めた発呼を行ない、管理者Ｐからの発呼があるメンバーは、メンバーリストから自分が応答済みである更新処理を行なうとともに、次のメンバーを対象として、メンバーリストを含めた発呼を行ない、最後のメンバーは、最終的に更新されたメンバーリストを管理者に送信するので、メンバーは、事前にメンバーの連絡先（電話番号）の文書（メンバーリスト）を取得する手間や連絡時に次のメンバーの連絡先（電話番号）を入力する操作が不要となり、メンバー相互間での情報連絡を円滑に行なうことができる。
【００３０】
[携帯電話１０の機能ブロック図]
図２は、携帯電話１０を構成する機能ブロック図を示している。同図に示すように、携帯電話１０は、携帯電話１０による通信制御全般を処理する通信処理部２０と、この通信処理部２０に接続された通信インターフェース２１と、アンテナ２２と、情報連絡網モード時に機能する情報連絡網制御部３０とを備えている。
【００３１】
情報連絡網制御部３０は、発呼制御部４０と着信制御部５０とから構成され、このうち発呼制御部４０は、携帯電話１０（管理者Ｐの携帯電話１０）から他の携帯電話１０（メンバーＡ１〜Ａ３の携帯電話１０）に対する発呼に関する制御を行なう。着信制御部５０は、他の携帯電話１０（メンバーＡ１〜Ａ３相互間）からの発呼に対する着信時に、この着信に関する制御を行なう。また、この情報連絡網制御部３０には、記憶部６１を有するＲＡＭ６０と、表示制御部７０と、表示パネル７１と、音声を伝達するためのマイク８０と、外部から通信された音声を出力するスピーカ９０とがそれぞれ接続されている。
【００３２】
通信処理部２０は、携帯電話１０による通信制御全般を処理する。具体的には、通常時（通常通話モード）においての発呼処理及び着信処理を行なう処理部であり、情報連絡網モード時には、情報連絡網制御部３０の発呼制御部４０及び着信制御部５０から通知される制御指示信号に基づいて、該当する発呼を対象とする制御及び着信を対象とする制御を行なう。
【００３３】
発呼制御部４０の通信モード判定部４１は、携帯電話１０の通信モードが通常の通信モードであるか管理者Ｐと複数のメンバーＡ１〜Ａ３とで行なわれる情報連絡網モードであるかを判定する。通信モード判定部４１により判定された通信モードが情報連絡網モードの場合、情報連絡網モードによる通信処理が行なわれる。具体的には、この通信モード判定部４１により判定された通信モードは、通信処理部２０に通知され、通知された通信モードに基づいた通話処理が行なわれる。
【００３４】
メンバーリスト処理部４２は、通信モード判定部４１により通信モードが情報連絡網モードであると判定された場合に、メンバーリストをＲＡＭ６０の記憶部６１から読み出すとともに、この読み出したメンバーリストを情報連絡網リストとして表示パネル７１に表示する通知を表示制御部７０に通知する。
【００３５】
発呼操作判定部４３は、管理者Ｐの携帯電話１０から外部の携帯電話１０（メンバーＡ１〜Ａ３）への発呼操作が行なわれたかを判定する。具体的には、携帯電話１０の表示パネル７１に発呼操作画面（図６）を表示し、この発呼操作画面により発呼対象者に対する設定の有無を判定する。
【００３６】
メンバー用送信指示部４４は、発呼操作判定部４３により発呼指示があると判定された場合に、発呼先として選択されたメンバーに対しての発呼およびメンバーリストを送信する指示を行なう。そして、このメンバー用送信指示部４４による発呼指示は通信処理部２０に通知され、この通信処理部２０によって対象となる発呼先のメンバーＡ１〜Ａ３の携帯電話１０に対しての発呼処理が行なわれる。
【００３７】
発呼応答判定部４５は、管理者Ｐ（メンバーＡ１〜Ａ３）の携帯電話１０から管理者Ｐ或いは、メンバーＡ１〜Ａ３の携帯電話１０に対しての発呼操作が行なわれた場合に、応答結果があるかを判定する。
【００３８】
着信制御部５０の着信判定部５１は、情報連絡網モードの設定時に外部の携帯電話１０からの発呼に対する着信を判定する。具体的には、管理者Ｐ或いはメンバーＡ１〜Ａ３の携帯電話１０による発呼に対する着信の判定とともに、メンバーリストの送信を含んだ着信を判定する。
【００３９】
メンバーリスト受信部５２は、メンバーＡ１〜Ａ３の携帯電話１０から送信されたメンバーリストを受信する。具体的に説明すると、メンバーＡ１〜Ａ３の内の最初のメンバーＡ１は、管理者Ｐが登録したメンバーリストのデータをそのまま受信し、以降のメンバーＡ２およびメンバーＡ３は、メンバーＡ１〜Ａ２が応答済みである更新処理（電話番号の削除）が行なわれたメンバーリストを受信する。また、管理者Ｐは、メンバーＡ１〜Ａ３による応答結果が更新処理されたメンバーリストを受信する。
【００４０】
発呼者判定部５３は、外部の携帯電話１０から発呼された発呼者が管理者ＰかメンバーＡ１〜Ａ３の何れかであるかを判定する。具体的には、携帯電話１０による着信時に発呼先の電話番号により、携帯電話１０から発呼された発呼者が管理者ＰかメンバーＡ１〜Ａ３の何れかであるかを判定する。
【００４１】
メンバーリスト処理部５４は、発呼者判定部５３により外部の携帯電話１０から発呼された発呼者が管理者Ｐであると判定された場合に、メンバーリスト受信部５２により受信したメンバーリストの更新処理（電話番号の削除）を行なう。そして、このメンバーリスト処理部５４により更新処理されたメンバーリストは、通信処理部２０により次のメンバーＡ１〜Ａ３や管理者Ｐに送信される。
【００４２】
[携帯電話１０による情報連絡モードの設定]
図３は、管理者Ｐの携帯電話１０による情報連絡網モードを設定する画面の一例を示す図である。同図に示すように、通常の通話モードから情報連絡網モードを設定する場合、携帯電話１０の表示パネル７１にメニュー画面を表示し、複数の設定モード（１〜３）の中から１の情報連絡網モードを選択することにより、通常の通話モードを情報連絡網モードに切り換えることができる。そして、この情報連絡網モードにより管理者ＰとメンバーＡ１〜Ａ３との間で行なう情報連絡網モードによる情報連絡通信を行なうことができる。
【００４３】
[情報連絡網モードによる着信画面]
図４は、情報連絡網モードによる着信画面の一例を示す図である。同図に示すように、情報連絡網モードによる着信時に携帯電話１０の表示パネル７１には、上から情報連絡網モードによる通信を示す表示（「情報連絡網モード」）と、この情報連絡網モードにより通信（発呼操作）を行なった人物の名前が表示される。例えば、情報連絡網モードにより発呼を行なった人物がメンバーＡ１であった場合、このメンバーＡ１の名前が表示される。また、同じく情報連絡網モードにより発呼を行なった人物が管理者Ｐであった場合、この管理者Ｐの名前が表示される。これにより、携帯電話１０による着信者（管理者Ｐ／メンバーＡ１〜Ａ３）は、通話モードが情報連絡網モードであること及び発呼者の名前を確認することができる。
【００４４】
[メンバーリストの構成]
図５は、情報連絡網モードの設定時に使用されるメンバーリストの一例を示す説明図である。同図に示すように、メンバーリストを構成するリスト番号「０」の領域には、管理者Ｐの名前であるＰ（例えば、氏名である「山本○△」）と、この管理者Ｐの名前に対応付けて、管理者Ｐの携帯電話１０の電話番号「090-XXXX-XXX0」が格納されている。
【００４５】
同様に、リスト番号「１」には、1番目（先頭に位置する）のメンバーの名前である「Ａ１」と、このメンバーＡ１の名前に対応付けて、メンバーＡ１の携帯電話１０の電話番号「090-XXXX-XXX1」が格納されている。また、リスト番号「２」には、２番目のメンバーの名前である「Ａ２」と、このメンバーＡ２の名前に対応付けてメンバーＡ２の電話番号「090-XXXX-XXX2」が格納されている。また、リスト番号「３」には、３番目のメンバーの名前である「Ａ３」と、このメンバーＡ３の名前に対応付けてメンバーＡ３の電話番号「090-XXXX-XXX3」が格納されている。実際には、このメンバーリストは、管理者Ｐが予め携帯電話１０の登録画面などを使用して作成することとなる。また、この管理者Ｐ及びメンバーＡ１〜Ａ３の情報（氏名、電話番号）が登録されたメンバーリストは、ＲＡＭ６０（図２）の記憶部６１に格納される。
【００４６】
[情報連絡網リスト及び発呼操作画面の構成]
図６は、情報連絡網モードを設定した場合に、管理者Ｐの携帯電話１０の表示パネル７１に表示される情報連絡網リストおよび発呼操作画面の一例を示している。同図に示すように、この情報連絡網リストには、管理者Ｐの携帯電話１０の電話番号、管理者Ｐが情報連絡網モードにより電話連絡する複数のメンバー（本例では、２つのグループＡ、ＢのメンバーＡ１〜Ａ３及びメンバーＢ１〜Ｂ３）の名前及び電話番号が表示される。
【００４７】
この情報連絡網リストは、情報連絡網モードの設定時、ＲＡＭ６０（図２）の記憶部６１に格納されたメンバーリストのデータを読み出すことで行なう。また、図６の情報連絡網リストの例では、グループＡのメンバーＡ１の表示欄が反転表示されており、この時に、設定操作（ＯＫボタン）を行なうことにより、管理者ＰからグループＡのメンバーＡ１に対して情報連絡網モードによる発呼操作を行なうことができる。
【００４８】
また、図６に示すように、この情報連絡網リストにより発呼対象者（本例では、メンバーＡ１）を選択すると、表示パネル７１には発呼操作画面が表示されることとなる。同図に示すように、この発呼操作画面は、上から通話モードが連絡網であること、発信先のメンバーの名前（メンバーＡ１）、発信の可否を示すガイダンス（「発信しますか？」）が表示され、この発呼操作画面のガイダンスに従って、ＯＫボタンをＯＮ設定することで、実際に、管理者ＰからメンバーＡ１に対する発呼操作を行なうことができる。この場合、発呼操作画面により発呼操作を行なうと、管理者Ｐの携帯電話１０からメンバーＡ１の携帯電話１０に対しての発呼およびメンバーリストが送信される。
【００４９】
[メンバーＡ１〜Ａ３に対する発呼操作画面]
次に、図７を参照してメンバー用の発呼操作画面について説明する。図７は、メンバーが他のメンバーに対して情報連絡網モードにより発呼を行なう時の発呼操作画面を示している。すなわち、管理者Ｐからの情報連絡網モードによる連絡を受けたメンバーＡ１が通常の通話（連絡の受信）を終了した後では、表示パネル７１には、図７に示す発呼操作画面が表示され、この発呼操作画面によりメンバーＡ１から次のメンバーであるメンバーＡ２に対して情報連絡を行なうことができる。
【００５０】
図６と同様に、発呼操作画面は、上から連絡網であること、発信先のメンバーの名前（メンバーＡ２）、発信の可否を示すガイダンス（「発信しますか？」）が表示され、この発呼操作画面を設定（ＯＫボタン）することにより実際に、メンバーＡ１から次のメンバーＡ２に対する発呼操作を行なうことができる。ここで、発呼操作画面により発呼操作を行なうと、メンバーＡ２の携帯電話１０に対しての発呼およびメンバーリストが送信される。そして、この場合、メンバーＡ２に対して送信されるメンバーリストは、メンバーＡ１が概に応答済みであることを示す更新処理（メンバーＡ１の電話番号の削除）が行なわれたデータとなる。
【００５１】
また、図８は、メンバーＡ２からメンバーＡ３に対して情報連絡網モードにより発呼を行なう時の発呼操作画面を示している。同図に示すように、発呼操作画面の発信先は、次のメンバーの名前（メンバーＡ３）となり、この発呼操作画面を設定（ＯＫボタン）することにより、メンバーＡ２の携帯電話１０から、次のメンバーＡ３の携帯電話１０に対してメンバーリストを含めた発呼操作を行なうことができる。前記と同様に、この場合、メンバーＡ２からメンバーＡ３に対して送信されるメンバーリストは、メンバーＡ２は、応答済みであることを示す更新処理（メンバーＡ２の電話番号の削除）が行なわれたデータとなる。
【００５２】
また、図９は、最後のメンバーＡ３から管理者Ｐに対して情報連絡網モードにより発呼を行なう時の発呼操作画面を示している。同図に示すように、発呼操作画面の発信先は、管理者Ｐの名前となり、この発呼操作画面を設定（ＯＫボタン）することにより、メンバーＡ３から管理者Ｐに対する発呼操作を行なうことができる。この場合、発呼操作画面により発呼操作を行なうと、メンバーＡ３の携帯電話１０から管理者Ｐの携帯電話１０に対してメンバーリストが送信される。この場合、最終的に管理者Ｐに対して送信されるメンバーリストは、メンバーＡ１〜Ａ３が全て応答済みであることを示す更新処理（メンバーＡ１〜Ａ３の全ての電話番号の削除）が行なわれたデータとなる。
【００５３】
[情報連絡網結果を示す画面]
次に、図１０を参照して、管理者Ｐの携帯電話１０による情報連絡網結果を示す画面の一例について説明する。図１０は、情報連絡網モードによる管理者Ｐの着信時及び情報連絡網結果を示す画面の一例を示している。
【００５４】
すなわち、同図に示すように、管理者Ｐの携帯電話１０の表示パネル７１に表示される着信画面は、上から連絡網モードであることを示す表示と、最終連絡メンバーの名前（メンバーＡ３）とが表示されることとなる。また、この場合、最終的に管理者Ｐに対して送信されるメンバーリストは、グループＡのメンバーＡ１〜Ａ３が全て応答済みであることを示す更新処理（メンバーＡ１〜Ａ３の全ての電話番号の削除）が行なわれたデータとなることから、情報連絡網結果は、メンバーＡ１〜Ａ３の応答が全て連絡済みとして表示される。
【００５５】
［情報連絡網システムによる処理手順］
次に、図１１を用いて、本実施例１に係る情報連絡網システムによる処理を説明する。図１１は、管理者Ｐが所持する携帯電話１０による情報連絡網モードの処理手順を示すフローチャートである。ここで、図１１に示すフローチャートでは、管理者Ｐの携帯電話１０とグループＡのメンバーＡ１〜Ａ３の携帯電話１０（図１）との間で行なわれる情報連絡網モードの設定時の処理手順について説明する。
【００５６】
図１１に示すように、携帯電話１０は、管理者Ｐによる操作（情報連絡網モードの設定）を受け付けており（ステップＳ１０１）、管理者Ｐによるメニュー設定（図３）により情報連絡網モードが操作された場合（ステップＳ１０１肯定）、メンバーリストをＲＡＭ６０の記憶部６１(図２)から読み出し（ステップＳ１０２）、この読み出したメンバーリスト（図５）に基づいて、メンバーＡ１〜Ａ３の構成（氏名、電話番号）を示す情報連絡網リスト（図６）を表示パネル７１に表示する(ステップＳ１０３)。
【００５７】
次に、携帯電話１０は、情報連絡網リストの所定のメンバー（本例では、グループＡの第１番目のメンバーＡ１）に対する選択操作があるかを判定し(ステップＳ１０４)、第１番目のメンバーＡ１に対する選択操作がある場合には(ステップＳ１０４肯定)、表示パネル７１に第１番目のメンバーＡ１に対する発呼操作画面（図６）を表示する(ステップＳ１０５)。
【００５８】
次に、携帯電話１０は、発呼操作画面により発呼対象メンバー（メンバーＡ１）に対する発呼操作があるかを判定する（ステップＳ１０６）。具体的に説明すると、表示パネル７１に表示される情報連絡網リストの内のメンバーＡ１を選択すると、発呼対象者であるメンバーＡ１に発呼を促す表示画面（発呼操作画面）に切り換わり、この発呼操作画面（図６）による設定があるか否かを判定することとなる。そして、このステップＳ１０６の判定により、メンバーＡ１に対する発呼操作がある場合には(ステップＳ１０６肯定)、メンバーＡ１に対してメンバーリストを含めた発呼を行なう(ステップＳ１０７)。前述したように、管理者ＰからメンバーＡ１に送信されるメンバーリストは、メンバーＡ１〜Ａ３の名前、電話番号が全て記憶されているデータである。
【００５９】
[管理者Ｐ（メンバーＡ１〜Ａ３）の携帯電話１０による着信時の処理]
次に、図１２を用いて、本実施例１に係る情報連絡網システムによる着信時の処理を説明する。図１２は、管理者Ｐ（メンバーＡ１〜Ａ３）の携帯電話１０による着信時の処理手順を示すフローチャートである。
【００６０】
すなわち、図１２に示すように、管理者Ｐ（メンバーＡ１〜Ａ３）の携帯電話１０は情報連絡網モードによるメンバーリストを含めた着信があるかを判定し(ステップＳ２０１)、情報連絡網モードによるメンバーリストを含めた着信があると判定された場合には(ステップＳ２０１肯定)、受信者（管理者Ｐ／メンバーＡ１〜Ａ３）に対して着信を報知する(ステップＳ２０２)。次に、携帯電話１０は、実際の着信操作があるかを判定し（ステップＳ２０３）、着信操作があると判定された場合には（ステップＳ２０３肯定）、管理者Ｐ（メンバーＡ１〜Ａ３）から送信されたメンバーリストを受信する（ステップＳ２０４）。
【００６１】
次に、携帯電話１０は、通常の通話モードを開始する（ステップＳ２０５）。この時に、携帯電話１０による情報の連絡（例えば、「○月△日の１４時に、△○会場で集会があります。」）が行なわれる。次に、この通常の通話モードによる通話が終了したかを判定する（ステップＳ２０６）。そして、携帯電話１０間での通話が終了したと判定された場合（ステップＳ２０６肯定）、次に、携帯電話１０による発呼者が管理者Ｐであるかを判定し（ステップＳ２１０）、発呼者が管理者Ｐである場合には（ステップＳ２１０肯定）、携帯電話１０は、メンバーリストをＲＡＭ６０の記憶部６１（図２）に格納し（ステップＳ２１１）、応答結果リスト(情報連絡網結果リスト)を表示パネル７１に表示する（ステップＳ２１２）。なお、情報連絡網結果リスト(図１０)を表示パネル７１に表示する場合は、３人のメンバーＡ１〜Ａ３全員に情報連絡が行なわれた場合である。
【００６２】
一方、ステップＳ２１０の判定により、発呼者が管理者Ｐでないと判定された場合には（ステップＳ２１０否定）、発呼者がメンバーＡ１〜Ａ３であると認識されるので、このメンバーＡ１〜Ａ３から送信されたメンバーリストを更新する更新処理を行なう（ステップＳ２２０）。例えば、情報連絡網モードによる着信を受けた人物がメンバーＡ１の場合、メンバーＡ１が応答済みとなる。具体的には、メンバーＡ１が応答済みである旨の更新（電話番号を削除する処理）を行なう。
【００６３】
次に、携帯電話１０は、メンバーリストから次のメンバーを読み出す（ステップＳ２２１）。次に、携帯電話１０は、読み出したメンバーリストに基づいて、このメンバーリストの第２番目にあるメンバー（メンバーＡ２）を対象とする発呼操作画面を表示パネル７１に表示する（ステップＳ２２２）。次いで、次のメンバー（メンバーＡ２）に対する発呼操作があるかを判定し（ステップＳ２２３）、次のメンバーＡ２に対する発呼操作があるか場合には（ステップＳ２２３肯定）、この発呼対象者（メンバーＡ２）の携帯電話１０に対して、メンバーリストを含めた発呼を行なう（ステップＳ２２４）。
【００６４】
以上説明したように、本実施例１に係る情報連絡網システムによれば、管理者は、管理者の携帯端末機から複数のメンバーに情報連絡を行なう場合に、管理者の携帯端末機の記憶手段に記憶された複数のメンバーの氏名、電話番号が記憶されたメンバーリストを発呼に含めて送信し、管理者の携帯端末機からの発呼を着信したメンバーは、管理者から送信されたメンバーリストに基づいて、次のメンバーに情報連絡を行なうとともに、更新処理により応答済みとしたメンバーリストを送信するので、メンバーは、事前にメンバーの連絡先（電話番号）の文書（メンバーリスト）を取得する手間や連絡時に次のメンバーの連絡先（電話番号）を入力する操作が不要となるため、メンバー相互間での連絡操作を円滑で効率的に行なうことができるうえ、メンバーリストの紛失や個人データ（メンバーリスト）の漏洩などを防止することができる。
【実施例２】
【００６５】
［情報連絡網システムの概要および特徴］
次に、図１３を用いて、本実施例２に係る情報連絡網システムの概要および特徴を説明する。図１３は、本実施例２に係る情報連絡網システムの概要および特徴を説明するための図である。
【００６６】
ここで、図１３に示す情報連絡網システムでは、１名の管理者Ｐ（例えば、「山本○△」）が所持する携帯電話１０と、合計３名から構成されるＢグループのメンバー（メンバーＢ１〜Ｂ３）がそれぞれ所持する携帯電話１０との間で電話通信網を介して行なわれる情報を伝達する情報連絡網システムの構成例を示している。
【００６７】
そして、前述した実施例１と同様に、この情報連絡網モードでは、管理者ＰだけがメンバーＢ１〜Ｂ３の連絡先である電話番号のリスト（メンバーリスト）を所持しており、管理者Ｐからの連絡を受けた所定のメンバーＢ１〜Ｂ３は、携帯電話１０による操作に基づいて、自分の次に位置するメンバーに対しての発呼操作を行なうだけで、管理者Ｐからの情報連絡を通達できる構成としている。
【００６８】
また、この実施例２では、メンバー（例えば、メンバーＢ１）の携帯電話１０から次のメンバー（例えば、メンバーＢ２）の携帯電話１０を対象とする発呼を行なう場合に、次のメンバーの携帯電話１０による着信操作があるか否かを判定し、次のメンバーの携帯電話１０による着信操作がないと判定された場合に、メンバーリストの中から次のメンバー（例えば、メンバーＢ２）よりも後のメンバー（メンバーＢ３）の携帯電話１０を設定し、この設定されたメンバー（メンバーＢ３）の携帯電話１０機に対してメンバーリストの送信を含めた発呼を行なうことに主たる特徴がある。
【００６９】
以下、図１３を参照して、実施例２に係る情報連絡網システムの主たる特徴について具体的に説明する。なお、実施例１と同様の処理についての詳細な説明は省略する。すなわち、図１３に示すように、情報連絡網モード時に管理者Ｐは、先ず最初のメンバーＢ１に発呼操作を行なう。この時、携帯電話１０は、メンバーＢ１に対する発呼とともに、管理者Ｐが作成したメンバーリストをメンバーＢ１に送信する（図１３の（１）参照）。
【００７０】
そして、管理者Ｐから発呼されたメンバーＢ１の携帯電話１０は、管理者Ｐとの通話による連絡を通知するとともに、管理者Ｐから送信されたメンバーリストを受信する（図１３の（２）参照）。また、この時、受信したメンバーリストに対する応答済みであることを示す更新処理を行ない、次のメンバーであるメンバーＢ２に対する発呼および更新後のメンバーリストの送信を行なう（図１３の（３）参照）。
【００７１】
ここで、次のメンバーＢ２が不在などにより、未着信（未応答）である場合（図１３の（４）参照）、メンバーＢ１は、メンバーＢ２の次のメンバー（メンバーＢ２）を発呼対象者として設定し、このメンバーＢ３に対して、更新したメンバーリストを含めた発呼を行なう（図１３の（５）参照）。
【００７２】
以下、メンバーＢ１からの発呼を着信したメンバーＢ３は、メンバーＢ１との通話により連絡を受けるとともに（図１３の（６）参照）、メンバーＢ１から送信されたメンバーリストから自身の電話番号の削除を行ない、管理者Ｐに対する発呼およびメンバーリストの送信を行なう（図１３の（７）参照）。
【００７３】
そして、最後のメンバーＢ３からの発呼を着信した管理者Ｐは、最終的に更新処理されたメンバーリストをＲAＭ６０の記憶部６１に格納することとなる。また、この格納されたメンバーリストを携帯電話１０の表示パネル７１（図２）に情報連絡網結果として表示することができ、管理者Ｐは、この情報連絡網結果によりメンバーＢ１〜Ｂ３の着信状況（応答結果）を確認することができる。この場合、メンバーＢ２は、不在であることを示す情報連絡網結果となる（図２０）。
【００７４】
[メンバーリストの構成]
次に、本実施例２に適用されるメンバーリストの構成について説明する。図１４は、情報連絡網モードの設定時に使用されるメンバーリストの一例を示す説明図である。同図に示すように、メンバーリストを構成するリスト番号「０」の領域には、実施例１と同様に、管理者の名前である管理者Ｐ（例えば、「山本○△」）と、この管理者Ｐの名前に対応付けて、管理者Ｐの携帯電話１０の電話番号「090-XXXX-XXX0」が格納されている。
【００７５】
また、リスト番号「１」には、グループＢの1番目（先頭に位置する）のメンバーの名前である「Ｂ１」と、このメンバーＢ１の名前に対応付けて、メンバーＢ１の携帯電話１０の電話番号「090-XXXX-XXX4」が格納されている。また、リスト番号「２」には、２番目のメンバーの名前である「Ｂ２」と、このメンバーＢ２の名前に対応付けてメンバーＢ２の電話番号「090-XXXX-XXX5」が格納されている。また、リスト番号「３」には、３番目のメンバーの名前である「Ｂ３」と、このメンバーＢ３の名前に対応付けてメンバーＢ３の電話番号「090-XXXX-XXX6」が格納されている。実際には、実施例１と同様に、このメンバーリストは、管理者Ｐが予め携帯電話１０の登録画面などを使用して作成することとなる。また、この管理者Ｐ及びメンバーＢ１〜Ｂ３の情報（氏名、電話番号）が登録されたメンバーリストは、ＲＡＭ６０（図２）の記憶部６１に格納される。
【００７６】
[情報連絡網モード及び発呼操作画面の構成]
図１５は、情報連絡網モードを設定した場合に、管理者Ｐの携帯電話１０の表示パネル７１に表示される情報連絡網リストの一例を示している。同図に示すように、この情報連絡網リストには、管理者Ｐの携帯電話１０の電話番号、管理者Ｐが情報連絡網モードにより電話連絡する複数のメンバー（本例では、２つのグループＡ、ＢのメンバーＡ１〜Ａ３及びメンバーＢ１〜Ｂ３）の名前及び電話番号が表示される例を示している。また、図１５の例では、グループＢのメンバーＢ１の表示欄が反転表示されており、この時に、設定操作（ＯＫボタン）を行なうことにより、管理者ＰからグループＢのメンバーＢ１に対して情報連絡網モードによる発呼を行なうことができる。
【００７７】
また、この情報連絡網リストにより情報連絡網モードを設定すると、同図に示すように、表示パネル７１は発呼操作画面が表示され、管理者Ｐが情報連絡網リストで設定した発呼先のメンバーの名前が示されており、この発呼操作画面により実際にメンバーＢ１に対する発呼操作を行なうことができる。この場合、発呼操作画面により発呼操作を行なうと、メンバーＢ１の携帯電話１０に対してメンバーリストが送信される。
【００７８】
[メンバーＢ１〜Ｂ３に対する発呼操作画面]
次に、図１６を参照してメンバー用の発呼操作画面について説明する。図１６は、メンバーが他のメンバーに対して情報連絡網モードにより発呼を行なう時の発呼操作画面を示している。すなわち、管理者Ｐからの情報連絡網モードによる連絡を受けたメンバーＢ１が通常の通話（連絡の受信）を終了した後では、表示パネル７１には、発呼操作画面が表示され、この発呼操作画面によりメンバーＢ１から次のメンバーであるメンバーＢ２に対して情報連絡を行なうことができる。
【００７９】
同図に示すように、発呼操作画面は、上から連絡網であること、発信先のメンバーの名前（メンバーＢ２）、発信の可否を示すガイダンスが表示され、この発呼操作画面を設定（ＯＫボタン）することにより実際に、メンバーＢ１の次のメンバーＢ２に対する発呼操作を行なうことができる。この場合、発呼操作画面により発呼操作を行なうと、メンバーＢ２の携帯電話１０に対しする発呼および応答済みであることを示す更新処理（メンバーＢ１の電話番号の削除）が行なわれたメンバーリストが送信される。
【００８０】
また、図１７は、管理者Ｐから情報連絡網モードによる連絡を受信したメンバーＢ１が次のメンバーＢ２に発呼を行なう時の発呼操作画面を示している。同図に示すように、発呼操作画面の発信先は、次のメンバーの名前（メンバーＢ２）となり、この発呼操作画面を設定（ＯＫボタン）することにより実際に、メンバーＢ２の次のメンバーＢ３に対する発呼操作を行なうことができる。この場合、発呼操作画面により発呼操作を行なうと、メンバーＢ２の携帯電話１０に対する発呼および更新処理されたメンバーリストが送信される。
【００８１】
この場合、メンバーＢ２に対して送信されるメンバーリストは、メンバーＢ２は、応答済みであることを示す更新処理（メンバーＢ２の電話番号の削除）が行なわれたデータとなる。ここで、同図に示すように、メンバーＢ２が不在などで応答がない（着信不可）場合には、発呼操作画面は、メンバーＢ２に連絡できない旨のガイダンスを表示する画面となる（「連絡できませんでした」）。そして、この時、この発呼操作画面を確認したメンバーＢ１に対して、メンバーＢ２の次に位置するメンバーＢ３に対して発呼を行なう画面となる（図１８）。
【００８２】
すなわち、図１８は、メンバーＢ２からメンバーＢ３に対して情報連絡網モードにより発呼を行なう時の発呼操作画面を示している。同図に示すように、発呼操作画面の発信先は、次のメンバーの名前（メンバーＢ３）となり、この発呼操作画面を設定（ＯＫボタン）することにより、メンバーＢ２の次のメンバーＢ３に対する発呼操作を行なうことができる。この場合、発呼操作画面により発呼操作を行なうと、メンバーＢ３の携帯電話１０に対する発呼および更新処理（メンバーＢ２の電話番号の削除）されたメンバーリストが送信される。
【００８３】
また、図１９は、最後のメンバーＢ３から管理者Ｐに対して情報連絡網モードにより発呼を行なう時の発呼操作画面を示している。同図に示すように、発呼操作画面の発信先は、次の管理者Ｐの名前となり、この発呼操作画面を設定（ＯＫボタン）することにより、メンバーＢ３から管理者Ｐに対する発呼操作を行なうことができる。この場合、発呼操作画面により発呼操作を行なうと、メンバーＢ３の携帯電話１０から管理者Ｐの携帯電話１０に対してメンバーリストが送信される。この場合、最終的に管理者Ｐに対して送信されるメンバーリストは、不在であったメンバーＢ２以外のメンバーＢ１およびメンバーＢ３が全て応答済みであることを示す更新処理（メンバーＢ１、Ｂ３の電話番号の削除）が行なわれたデータとなる。
【００８４】
[情報連絡網結果を示す画面]
次に、図２０を参照して、管理者Ｐの携帯電話１０による情報連絡網結果を示す画面の一例について説明する。図２０は、情報連絡網モードによる管理者Ｐの着信時及び情報連絡網結果を示す画面の一例を示している。
【００８５】
すなわち、同図に示すように、管理者Ｐの携帯電話１０の表示パネル７１に表示される着信画面は、上から連絡網モードであることを示す表示と、最終連絡メンバーの名前（メンバーＢ３）とが表示されることとなる。また、この場合、最終的に管理者Ｐに対して送信されるメンバーリストは、不在であったメンバーＢ２以外のメンバーＢ１およびメンバーＢ３が全て応答済みであることを示す更新処理（メンバーＢ１、Ｂ３の電話番号の削除）が行なわれたデータとなることから、情報連絡網結果は、メンバーＢ２以外のメンバーＢ１およびメンバーＢ３が全て応答済みとして表示される。
【００８６】
次に、図２１を用いて、本発明の情報連絡網システムに係る実施例２の詳細について説明する。図２１は、実施例２に係る情報連絡網システムによる処理手順を示すフローチャートである。なお、図２１に示す実施例２の処理手順と、前述した実施例１の処理手順とで異なる点は、主に、ステップＳ２０５以降の処理手順であるため、以下、このステップＳ２０５以降の処理手順について説明し、実施例１と同一の処理手順についての詳細な説明は、省略する。また、この図２２に示すフローチャートでは、グループＢのメンバーＢ１〜Ｂ３のうちのメンバーＢ２が不在であり応答がない場合を例として説明する。
【００８７】
ここで、本実施例３の情報連絡網システムでは、管理者Ｐの携帯電話１０は、情報連絡網モードを構成するメンバーＡ１〜Ａ３の内の最後のメンバー（メンバーＡ３）から受信したメンバーリストの更新情報に基づいて、未応答メンバーを再度の発呼対象者として設定し、この未応答メンバーとして設定されたメンバー（再発呼対象者）に対して、メンバーリストの送信を含めた再度の発呼を行なうことに主たる特徴がある。
【００８８】
すなわち、図２１のフローチャートに示すように、携帯電話１０は、通常の通話モードを開始し（ステップＳ２０５）、次に、この通常の通話モードによる通話が終了したかを判定する（ステップＳ２０６）。そして、携帯電話１０間での通話が終了したと判定された場合（ステップＳ２０６肯定）、次に、携帯電話１０はメンバーリストを更新する更新処理を行なう（ステップＳ２１０）。具体的には、メンバーＢ１が応答済みである旨の更新（電話番号を削除する処理）を行なう。
【００８９】
次に、携帯電話１０は、受信したメンバーリストに基づいて、このメンバーリストの第２番目にあるメンバーのデータ（メンバーＢ２）を読み出す（ステップＳ２１１）。そして、この読み出した第２番目にあるメンバーＢ２を対象とする発呼操作画面を表示パネル７１に表示する（ステップＳ２１２）。次いで、次のメンバー（メンバーＢ２）に対する発呼操作があるかを判定し（ステップＳ２１３）、この次のメンバーＢ２に対する発呼操作があるか場合には（ステップＳ２１３肯定）、この発呼対象者（メンバーＢ２）の携帯電話１０に対して、メンバーリストを含めた発呼を行なう（ステップＳ２１４）。そして、この次のメンバーＢ２に対する発呼がＯＫであるかを判定し（ステップＳ２１５）、メンバーＢ２に対する発呼がＯＫである場合には（ステップＳ２１５肯定）、処理を終了する。一方、メンバーＢ２に対する発呼がＯＫでない場合には（ステップＳ２１５否定）、再度、ステップＳ２１１に戻り、発呼が不可のメンバーの次のメンバー（メンバーＢ３）を読み出し、以下、具体的には、発呼操作画面にメンバーＢ３の次のメンバーＢ３に対する発呼操作により（ステップＳ２１３）、以下、このメンバーＢ３に対する発呼を行なうこととなる。
【００９０】
以上説明したように、本実施例２に係る情報連絡網システムによれば、メンバーの携帯電話１０から次のメンバーの携帯電話１０を対象とする発呼を行なう場合に、次のメンバー（メンバーＢ２）の携帯電話１０による着信操作（応答の有無）があるか否かを判定し、着信操作がないと判定された場合に、メンバーリストの中から次のメンバーよりも後のメンバー（メンバーＢ３）の携帯電話１０を設定し、このメンバーＢ３の携帯電話１０に対して、更新されたメンバーリストの送信を含む発呼を行なうので、複数のメンバーの何れかが不在であっても、不在のメンバーの次のメンバーに対して、情報連絡を行なうことができる。
【実施例３】
【００９１】
次に、図２２を用いて、本発明の情報連絡網システムに係る実施例３の詳細について説明する。図２２は、実施例３に係る情報連絡網システムによる処理手順を示すフローチャートである。なお、図２２に示す実施例３の処理手順と、前述した実施例１の処理手順とで異なる点は、主に、ステップＳ２０５〜ステップＳ２１８までの処理手順であるため、以下、ステップＳ２０５〜ステップＳ２１８の処理手順について説明し、実施例１と同一の処理手順についての詳細な説明は、省略する。また、この図２２に示すフローチャートでは、グループＢのメンバーＢ１〜Ｂ３のうちのメンバーＢ２が不在であり応答がない場合を例として説明する。
【００９２】
ここで、本実施例３の情報連絡網システムでは、管理者Ｐの携帯電話１０は、情報連絡網モードを構成するメンバーＢ１〜Ｂ３の内の最後のメンバー（メンバーＢ３）から受信したメンバーリストの更新情報に基づいて、未応答メンバーを再度の発呼対象者として設定し、この未応答メンバーとして設定されたメンバー（再発呼対象者）に対して、メンバーリストの送信を含めた再度の発呼を行なうことに主たる特徴がある。
【００９３】
すなわち、図２２のフローチャートに示すように、携帯電話１０は、情報連絡網モードによる発呼による着信時には、通常の通話モードを開始し（ステップＳ２０５）、次いで、この通常の通話モードによる通話が終了したかを判定し（ステップＳ２０６）、携帯電話１０間での通話が終了したと判定された場合（ステップＳ２０６肯定）、携帯電話１０による発呼者が管理者Ｐであるかを判定する（ステップＳ２１０）。そして、発呼者が管理者Ｐである場合には（ステップＳ２１０肯定）、携帯電話１０は、メンバーリストをＲＡＭ６０の記憶部６１に格納し（ステップＳ２１１）、応答結果リストを表示パネル７１に表示する（ステップＳ２１２）。
【００９４】
そして、複数のメンバーＢ１〜Ｂ３の中で未応答メンバーがいるかの判定を行ない（ステップＳ２１３）、未応答メンバーがいると判定された場合（ステップＳ２１３肯定）、再連絡網モードの設定を行なう（ステップＳ２１４）。
【００９５】
そして、未応答メンバーの中から未応答メンバーを読み出し（ステップＳ２１５）、この未応答メンバーを対象とする発呼操作画面を携帯電話１０の表示パネル７１に表示する（ステップＳ２１６）。そして、未応答メンバーを対象とする発呼操作があるかを判定し（ステップＳ２１６）、未応答メンバーを対象とする発呼操作があると判定された場合には（ステップＳ２１７）、管理者Ｐから未応答メンバーに対して更新処理されたメンバーリストを含めた発呼を行なう（ステップＳ２１８）。
【００９６】
以上説明したように、本実施例３の情報連絡網システムでは、管理者Ｐの携帯電話１０は、情報連絡網モードを構成する最後のメンバー（メンバーＢ３）から受信したメンバーリストの更新情報に基づいて、未応答メンバー（メンバーＢ２）を再度の発呼対象者として設定し、この未応答メンバーとして設定した発呼対象者（メンバーＢ２）に対してメンバーリストの送信を含めた再度の発呼を行なうので、情報連絡網システムによる未応答メンバーに対する対応を正確に行なうことができる。
【００９７】
（付記１）管理者が所持する携帯端末機と複数のメンバーが所持する携帯端末機との間で情報伝達を行なう情報連絡網システムであって、
前記管理者の携帯端末機は、
前記複数のメンバーの名前と電話番号とを対応付けてメンバーリストとして連絡する順に記憶する記憶手段と、
前記複数のメンバーの内の所定のメンバーの携帯端末機に対して発呼を行なうと、前記記憶手段に記憶された前記メンバーリストを前記所定のメンバーの携帯端末機に送信する第１の送信制御手段とを備え、
前記メンバーの携帯端末機は、
前記管理者の携帯端末機からの発呼に対する着信時に、前記第１の送信制御手段により送信された前記メンバーリストを受信すると、当該メンバーリストの中から着信したメンバーが応答済みである事を示す更新を行なうメンバー情報更新手段と、
前記メンバーリストの中から次のメンバーに対して、前記メンバー情報更新手段により更新された前記メンバーリストを送信する第２の送信制御手段とを備えることを特徴とする情報連絡網システム。
【００９８】
（付記２）前記メンバーの携帯端末機は、
前記メンバーの携帯端末機から次のメンバーの携帯端末機を対象とする発呼時に、当該次のメンバーの携帯端末機による着信操作があるか否かを判定する着信操作判定手段をさらに備え、
前記着信操作判定手段により、
前記次のメンバーの携帯端末機による着信操作がないと判定された場合に、前記メンバーリストの中から次のメンバーよりも後のメンバーの携帯端末機を設定するメンバー設定手段を備え、
前記第２の送信制御手段は、
前記メンバー設定手段により設定された前記メンバーの携帯端末機に対して、前記メンバー情報更新手段により更新されたメンバーリストの送信を行なうことを特徴とする付記１に記載の情報連絡網システム。
【００９９】
（付記３）前記管理者の携帯端末機は、
前記複数のメンバーが所持する携帯端末機から送信されるメンバーリストを受信する受信手段をさらに備え、当該受信手段により受信されたメンバーリストの更新情報に基づいて、未着信メンバーの有無を示す表示を表示部に行なうことを特徴とする付記１または２に記載の情報連絡網システム。
【０１００】
（付記４）前記管理者の携帯端末機は、
前記受信手段により受信されたメンバーリストの更新情報に基づいて、前記未着信メンバーの有無を判定する未着信判定手段をさらに備えることを特徴とする付記３に記載の情報連絡網システム。
【０１０１】
（付記５）前記受信手段により受信されたメンバーリストの更新情報に基づいて、未着信メンバーを再度の発呼対象者として設定する再発呼設定手段をさらに備え、前記第１の送信制御手段は、前記再発呼設定手段により設定された発呼対象者に対して前記メンバーリストの送信を含めた再度の発呼を行なうことを特徴とする付記１、２または３に記載の情報連絡網システム。
【０１０２】
（付記６）前記管理者の携帯端末機は、
前記複数のメンバーの名前と電話番号とを対応付けて登録する登録手段を備え、
前記登録手段により登録された前記複数のメンバーに関する登録情報は、前記記憶手段にメンバーリストとして記憶されることを特徴とする付記１〜５のいずれか一つに記載の情報連絡網システム。
【０１０３】
（付記７）管理者と複数のメンバーが所持するとともに、当該管理者と複数のメンバーとの間で情報伝達を行なう情報連絡網モードを備えた携帯端末機であって、
前記携帯端末機は、
前記情報連絡網モード時に、前記管理者および複数のメンバーの名前と電話番号とを対応付けてメンバーリストとして連絡する順に記憶する記憶手段と、
前記複数のメンバーの内の所定のメンバーの携帯端末機に対して発呼を行なうと、前記記憶手段に記憶された前記メンバーリストを前記所定のメンバーの携帯端末機に送信する第１の送信制御手段と、
前記管理者または、所定のメンバーからの発呼に対する着信時に、当該メンバーリストの中から着信したメンバーが応答済みである事を示す更新処理を行なうメンバー情報更新手段と、
前記メンバーリストの中から管理者または、次のメンバーに対して、前記メンバー情報更新手段により更新された前記メンバーリストを送信する第２の送信制御手段とを備えることを特徴とする携帯端末機。
【０１０４】
以上のように、本発明に係る情報連絡網システムおよび携帯端末機は、円滑で効率的に連絡を行なうシステムに有用であり、特に、個人データの漏洩などを防止する情報連絡網システムおよび携帯端末機に適する。
【図面の簡単な説明】
【０１０５】
【図１】実施例１に係る情報連絡網システムの概要および特徴を説明する構成図である。
【図２】実施例１に係る携帯電話の全体構成を示す機能ブロック図である。
【図３】実施例１に係る携帯電話による情報連絡網モードを設定する画面例を示す図である。
【図４】実施例１に係る情報連絡網モードによる着信画面例を示す図である。
【図５】実施例１に係るメンバーリストの一例を示す図である。
【図６】実施例１に係る情報連絡網リストおよび発呼操作画面例を示す図である。
【図７】発呼先（メンバーＡ２）を対象とする発呼操作画面を示す図である。
【図８】発呼先（メンバーＡ３）を対象とする発呼操作画面を示す図である。
【図９】管理者Ｐを対象とする発呼操作画面を示す図である。
【図１０】管理者Ｐによる着信画面および情報連絡網結果の画面例を示す図である。
【図１１】実施例１に係る情報連絡網システムによる処理手順を示すフローチャートである（管理者Ｐ）。
【図１２】実施例１に係る情報連絡網システムによる処理手順を示すフローチャートである（管理者Ｐ／メンバー）。
【図１３】本発明の実施例２に係る情報連絡網システムの概要および特徴を説明する構成図である。
【図１４】実施例２に係るメンバーリストの一例を示す図である。
【図１５】実施例２に係る情報連絡網リストおよび発呼操作画面の一例を示す図である。
【図１６】実施例２に係る発呼先（メンバーＢ１）に対する発呼操作画面を示す図である。
【図１７】実施例２に係る発呼先が不在時の発呼操作画面を示す図である。
【図１８】実施例２に係る発呼先（メンバーＢ３）に対する発呼操作画面を示す図である。
【図１９】実施例２に係る管理者Ｐを対象とする発呼操作画面を示す図である。
【図２０】実施例２に係る管理者Ｐの着信画面および連絡網結果の画面例を示す図である。
【図２１】実施例２に係る情報連絡網システムによる処理手順を示すフローチャートである。
【図２２】実施例３に係る情報連絡網システムによる処理手順を示すフローチャートである。
【符号の説明】
【０１０６】
１０  携帯電話
２１  通信インターフェース
２２  アンテナ
２０  通信処理部
３０  情報連絡網制御部
４０  発呼制御部
４１  通信モード判定部
４２  メンバーリスト処理部
４３  発呼操作判定部
４４  メンバー用送信指示部
４５  発呼判定部
５０  着信制御部
５１  着信判定部
５２  メンバーリスト受信部
５３  発呼者判定部
５４  メンバーリスト処理部
６０  ＲＡＭ
６１  記憶部
７０  表示制御部
７１  表示パネル
８０  マイク
９０  スピーカ
Ａ１〜Ａ３、Ｂ１〜Ｂ３  メンバー
【図１】
2008288907.tif 000003
【図２】
2008288907.tif 000004
【図３】
2008288907.tif 000005
【図４】
2008288907.tif 000006
【図５】
2008288907.tif 000007
【図６】
2008288907.tif 000008
【図７】
2008288907.tif 000009
【図８】
2008288907.tif 000010
【図９】
2008288907.tif 000011
【図１０】
2008288907.tif 000012
【図１１】
2008288907.tif 000013
【図１２】
2008288907.tif 000014
【図１３】
2008288907.tif 000015
【図１４】
2008288907.tif 000016
【図１５】
2008288907.tif 000017
【図１６】
2008288907.tif 000018
【図１７】
2008288907.tif 000019
【図１８】
2008288907.tif 000020
【図１９】
2008288907.tif 000021
【図２０】
2008288907.tif 000022
【図２１】
2008288907.tif 000023
【図２２】
2008288907.tif 000024